(57)【要約】【課題】傾斜屋根の所望の位置に所望面積を緑化させることができる屋上緑化構造を提供する。【解決手段】本発明にかかる屋上緑化構造１０は、建造物１１の勾配屋根１２の屋根面の所望の場所を緑化する緑化構造であって、勾配屋根１２を構成する屋根材１３上に所定間隔を持って対向して配設される留め具１４、１４と、該留め具１４に固定され、植生マット１５を固定する植生マット固定具１６と、を具備するものであり、勾配屋根の所望の位置に所望の大きさの屋上緑化を実現できる。【選択図】        図１
2006025689.tif 000002
【特許請求の範囲】
【請求項１】
勾配屋根の屋根面を緑化する屋上緑化構造であって、
勾配屋根の屋根材上に所定間隔を持って対向して配設される留め具と、
該留め具に固定され、植生マットを固定する植生マット固定具と、を具備することを特徴とする屋上緑化構造。
【請求項２】
請求項１において、
前記植生マット固定具が断面形状がＬ字形状の長尺物であることを特徴とする屋上緑化構造。
【請求項３】
請求項１又は２において、
前記植生マットが２以上のマットからなり、締結部材で締結されていることを特徴とする屋上緑化構造。
【請求項４】
請求項１乃至３のいずれか一つにおいて、
前記植生マットの上面側にワイヤを張設してなることを特徴とする屋上緑化構造。
【請求項５】
請求項１乃至４のいずれか一つにおいて、
前記植生マットが、植物を育成する植生部マット部と、植生マット部の裏面側に設けた通気層とからなることを特徴とする屋上緑化構造。
【請求項６】
請求項５において、
前記通気層が二層構造からなると共に、その間にフィルタ層を介装してなることを特徴とする屋上緑化構造。
【請求項７】
請求項１乃至６のいずれか一つにおいて、
前記屋根材の裏面側に防水層を設けてなることを特徴とする屋上緑化構造。
【発明の詳細な説明】
【技術分野】
【０００１】
本発明は、例えば住宅等の建造物の屋根を緑化する屋上緑化構造に関するものである。
【背景技術】
【０００２】
建造物の屋上を緑化するものとして、既にユニット化された屋上緑化ユニットを配設する屋上緑化工法や、育成パネルを用いて屋根上を緑化する工法が種々提案されている（例えば、特許文献１、特許文献２参照）。
【０００３】
【特許文献１】特開２００３−６１４５７号公報
【特許文献２】特開２００３−３３９２４１号公報
【発明の開示】
【発明が解決しようとする課題】
【０００４】
しかしながら、特許文献１のような工場等において製作されるような既製のユニットを屋上に設置する場合には、所望の大きさと合致しない場合がある。このため、施主の所望の大きさで所望の位置に屋上緑化を施すことができない、という問題がある。このため、簡易な構造及び工法で所望の位置に屋上緑化を施工することが切望されている。
【０００５】
また、植生マット等を勾配屋根等の斜面に設置する場合に、単に植生マットを設置した場合には、その勾配のために植生マットがずれ下がるという問題がある。
【０００６】
本発明は、上記実情に鑑みて、傾斜屋根の所望の位置に所望面積を緑化させることができる屋上緑化構造を提供することを課題とする。
【課題を解決するための手段】
【０００７】
上記の課題を達成する第１の発明は、勾配屋根の屋根面を緑化する屋上緑化構造であって、勾配屋根の屋根材上に所定間隔を持って対向して配設される留め具と、該留め具に固定され、植生マットを固定する植生マット固定具と、を具備することを特徴とする屋上緑化構造にある。
【０００８】
第２の発明は、第１の発明において、前記植生マット固定具が断面形状がＬ字形状の長尺物であることを特徴とする屋上緑化構造にある。
【０００９】
第３の発明は、第１又は２の発明において、前記植生マットが２以上のマットからなり、締結部材で締結されていることを特徴とする屋上緑化構造にある。
【００１０】
第４の発明は、第１乃至３のいずれか一つの発明において、前記植生マットの上面側にワイヤを張設してなることを特徴とする屋上緑化構造にある。
【００１１】
第５の発明は、第１乃至４のいずれか一つの発明において、前記植生マットが、植物を育成する植生部マット部と、植生マット部の裏面側に設けた通気層とからなることを特徴とする屋上緑化構造にある。
【００１２】
第６の発明は、第５の発明において、前記通気層が二層構造からなると共に、その間にフィルタ層を介装してなることを特徴とする屋上緑化構造にある。
【００１３】
第７の発明は、第１乃至６のいずれか一つの発明において、前記屋根材の裏面側に防水層を設けてなることを特徴とする屋上緑化構造にある。
【発明の効果】
【００１４】
本発明に係る屋上緑化構造によれば、簡易な構成で、勾配屋根面を所望の場所に所望の大きさの緑化部を施工することができる。
また、植栽マットを２以上設置することで所望の大きさの屋上緑化を施すことができる。
また、ワイヤにより植栽マットの上を張設することで風による吹き上がりを防止することができる。
また、植生マットに通気層を有するので、植栽物の根腐れを防止することができる。
また、屋根材に防水層を設けることにより、水漏れを防止することができる。
また、屋上緑化工法によれば、勾配屋根に対して、植生マットをずれ下がることがなく、簡易に施工することができる。
【発明を実施するための最良の形態】
【００１５】
以下に添付図面を参照して、本発明に係る屋上緑化構造及び工法の好適な実施例を詳細に説明する。なお、この実施例によりこの発明が限定されるものではない。
【実施例】
【００１６】
図１は本発明に係る屋上緑化構造の一実施例を示す概略構成図である。
【００１７】
本発明の屋上緑化構造１０は、建造物１１の勾配屋根１２の屋根面の所望の場所を緑化する緑化構造であって、勾配屋根１２を構成する屋根材１３上に所定間隔を持って対向して配設される留め具１４、１４と、該留め具１４に固定され、植生マット１５を固定する植生マット固定具１６と、を具備するものである。
【００１８】
前記植生マット固定具１６は、本実施例においては、その断面形状がＬ字形状の山型鋼からなる長尺物としている。そして、この植生マット固定具１６が所定間隔を持って複数配設される留め具１４に固定されている。この植生マット固定具１６で植生マット１５を固定することで、勾配屋根に設置する植生マット１５のずれ下がりを防止するようにしている。また、任意範囲に植生マットを施設することが可能となる。なお、植生マット固定具１６は、山型鋼に限定されるものではなく、植生マット１５を固定することができるものであれば、いずれの形状、材質のものであってもよい。
【００１９】
また、前記植生マット１５の上面側には、ワイヤ１７が縦横に所定間隔を持って張設されてなり、該マットの吹き上がりを防止するようにしている。
【００２０】
前記留め具１４は、図２及び図３に示すように、端部が前記植生マット固定具１６を固定する直角に立ち上がった固着部１４ａと、屋根材１３の上に敷設される敷設部１４ｂと、屋根材１３の段差分下がって、母屋等に例えば釘等の留付け部材により留付けされる留め部１４ｃとから構成されている。なお、植生マット固定具１６と留め具１４との固定は、所定のボルトとナットからなる締結部材等の固定部材を用いて固定する場合の他、溶接等により固定するようにしてもよい。
【００２１】
図４は屋上緑化構造の断面概略図である。
図４に示すように、母屋２１の上面側に設けられた例えば硬質木片セメント板等の野地板２２の上面側には防水層２３が設けられており、該防水層２３の上面に、屋根材１３が所定の重なりを持って貼付けされている。
【００２２】
前記屋根材１３の上面には、留め具１４が設けられており、該留め部１４ｃ側にて母屋２１に釘等により留付けされている。
そして、対向する留め具１４、１４には、植生マット固定具１６を固着する。本実施例では、植生マット固定具１６の裏面側は屋根材１３との間に所定間隔の隙間２４が設けられるように固定されており、この隙間２４を通って、水２５が流れ落ちるようになっている。
【００２３】
前記植生マット固定具１６、１６に挟まれて、植生マット１５が固定されている。本実施例では、植生マット１５の吹き上がりを防止するワイヤ１７が張設されている。前記ワイヤはアイボルト、ワイヤクリップ及びターンバックル等により所望割合で張設するようにしている。
【００２４】
前記屋上緑化構造１０を施工するには、先ず、勾配屋根の屋根材１３上に所定間隔を持って対向して留め具１４，１４を配設し、その後該留め具１３に、植生マット１５を固定する植生マット固定具１６を固定する。次いで、植生マット１５を植生マット固定具１６間の屋根材１３上に直接設置する。その後、ワイヤ１７で植生マット１５の上を張設する。
【００２５】
図５は植生マットの断面概略図である。
植生マット１５は、植物を育成する植生マット部３１と、植生マット部３１の裏面側に設けた通気層３２とから構成されており、植生マット部３１にて植物を育成するようにしていると共に、通気層３２においては、通気性を良好として根腐れを防止するようにしている。前記植生マットは任意の大きさとすることができ、複数の植生マットを施工する場合には、ワイヤ等の締結部材によりそれらを締結するようにしている。
【００２６】
本実施例では、通気層３２を火山砂利やピートモス等の第１の通気層３３、例えばヤシ材からなるヤシマットからなる第２の通気層３４との二層構造としている。なお、前記第２の通気層３４はヤシ材に限定されるものではなく、ヤシ材以外で軽量且つ通気性を有する繊維状物を用いるようにしてもよい。また、前記ピートモス等には肥料を施している。
【００２７】
また、本実施例においては、前記第２の通気層３４は、二層構造３４ａ、３４ｂとしており、これらの二層構造３４ａ、３４ｂの間にはフィルタ層３５が介装されている。
前記フィルタ層３５により、屋根材１３側への根の伸長を防止すると共に、根腐れを防止するようにしている。
【００２８】
ここで、前述した図４においては、作図上、第２の通気層３４の裏面が屋根材１３に直接接触していないが、実際には、図５に示すように、二層構造３４ａ、３４ｂの下層３４ｂが屋根材１３と接触している。なお、植生マット固定具１６の裏面は前述したように水の流れ落ちるように隙間２４となっている。
【００２９】
また、図５に示すように、前記屋根材１３は通常のスレート屋根葺き材からなり、その下の防水層２３は一般のアスファルトを浸透・被覆したシ−ト状のアスファルトルーフィングから構成されている。
また、本実施例では、前記アスファルトルーフィングを二層構造２３ａ、２３ｂとしており、これらの間にゴムアスシート等の防水シート３６を設けるようにして、防水機能をさらに向上するようにしている。
【００３０】
前記植生マット部の構成は、マットを構成するセダム属植物や苔類や蔦類等を例示することができ、軽量で且つ保水性を有するものであれば、特に限定されるものではない。
【００３１】
ここで、前記セダム属植物は、ベンケイソウ科の耐乾燥性植物であり、貯水機能が発達しており、極端な乾燥状態でも生育が可能で、植栽に手間がかからないという利点を有している。尚、セダム属以外の植物であっても、耐乾燥性植物であれば、例えば、マツバギク等のツルナ科植物を植栽することもできる。
【００３２】
前記セダム類の具体例としては、例えばメキシコマンネングサ、ツルマンネングサ、キリンソウ、ホソバノキリンソウ、エゾノキリンソウ、ヒメキリンソウ、タカネマンネングサ、ヤハズマンネングサ、ヒメレンゲ、マルバマンネングサ、サツママンネングサ、ハママンネングサ、ナガサキマンネングサ、コモチマンネングサ、メノマンネングサ、タイトゴメ、ムニンタイトゴメ、コゴメマンネングサ、ウンゼンマンネングサ、オオメノマンネングサ、マツノハマンネングサ、オノマンネングサ、ハコベマンネングサ、ウスユキマンネングサ等を例示することができる。
【産業上の利用可能性】
【００３３】
以上のように、本発明に係る屋上緑化構造は、例えば住宅等の建造物の勾配屋根の所望の位置に所望の大きさの植生部分を簡易に設置することができ、簡便な屋上緑化施工に適している。
【図面の簡単な説明】
【００３４】
【図１】本発明に係る屋上緑化構造の一実施例を示す概略構成図である。
【図２】屋根材と留め具との構造を示す平面図である。
【図３】留め具の斜視図である。
【図４】屋上緑化構造の断面概略図である。
【図５】植生マットの断面概略図である。
【符号の説明】
【００３５】
１０  屋上緑化構造
１１  建造物
１２  勾配屋根
１３  屋根材
１４  留め具
１５  植生マット
１６  植生マット固定具
１７  ワイヤ
【図１】
2006025689.tif 000003
【図２】
2006025689.tif 000004
【図３】
2006025689.tif 000005
【図４】
2006025689.tif 000006
【図５】
2006025689.tif 000007